(57)【要約】【課題】簡易な機構で配光を制御することができる。【解決手段】発光管６０Ａは、被写体に照射する光の発光源の周囲の一部に、発散する範囲を制限する拡散制限膜である反射膜６０Ｃを備え、リフレクタ６０Ｂは、発光管６０Ａから出射する出射光の内、前記被写体の方向に向いていない光を被写体の方向に向けて反射させる。その発光管６０Ａは、発光管回転駆動部を介してＣＰＵの制御により、予め定められた回転軸を中心として回転されることで、被写体までの距離に応じた適正な廃校領域となるように調整される。【選択図】図６
2009244349.tif 000002
【特許請求の範囲】
【請求項１】
被写体に照射する光の発光源の周囲の一部に、発散する範囲を制限する拡散制限膜を備えた発光体と、
前記発光体からの出射光の内、前記被写体の方向に向いていない光を前記被写体の方向に向けて反射させる反射部材と、
前記発光体を予め定められた回転軸を中心として回転させ、出射光の方向を変更する回転機構部と、
前記反射部材による光の反射を利用して、前記被写体までの距離に応じた適正な配光領域に調整するように、前記回転機構の駆動を制御する制御手段と、
を有する発光装置。
【請求項２】
前記拡散制限膜が、前記発光体の前記回転機構部による出射光の方向の変更に応じて配光領域を増減させることを特徴とする請求項１記載の発光装置。
【請求項３】
前記拡散制限膜が前記発光源からの光を反射する反射膜であることを特徴とする請求項１又は請求項２記載の発光装置。
【請求項４】
前記発光体からの出射光及び前記反射部材からの反射光を、前記被写体の方向に向けて屈折させるレンズを更に有する請求項１〜請求項３の何れか１項記載の発光装置。
【請求項５】
前記発光体を発光させるための電力を当該発光体に供給する配線部材が弾性変形可能であり、かつ前記回転軸を中心として渦巻状に形成され、前記回転機構による回転に応じて巻径が変化するよう弾性変形することを特徴とする請求項１〜請求項４の何れか１項記載の発光装置。
【請求項６】
前記発光体は、透光性を有し、かつ前記発光源を収容すると共に、予め定められた回転方向に回転される筒状の収容体を備え、前記拡散制限膜を前記収容体の外周面の一部に設けたことを特徴とする請求項１〜請求項５の何れか１項記載の発光装置。
【請求項７】
請求項１〜請求項６の何れか１項記載の発光装置と、
前記発光装置によって発生された光が照射された状態で被写体を撮影する撮影手段と、
を備えた撮影装置。
【請求項８】
前記被写体の撮影サイズを拡大及び縮小するためのズーム機構を更に備え、前記制御手段は、前記ズーム機能による撮影サイズに同期させて前記回転機構の制御を行うことを特徴とする請求項７記載の撮影装置。
【請求項９】
前記制御手段は、前記ズーム機能による撮影サイズの変更動作に対し、前記回転機構を遅延して回転させるように制御を行うことを特徴とする請求項７又は請求項８記載の撮影装置。
【請求項１０】
前記制御手段は、露出設定及び合焦設定される第１の動作状態と、撮影する第２の動作状態とに基づいて、前記回転機能の回転速度を変更することを特徴とする請求項７〜請求項９の何れか１項記載の撮影装置。
【請求項１１】
前記制御手段による前記ズーム機能に同期させて前記回転機構の制御を行わない第１のモードと、前記制御手段による前記ズーム機能に同期させて前記回転機構の制御を行う第２のモードとを選択することを特徴とする請求項７〜請求項１０の何れか１項記載の撮影装置。
【請求項１２】
前記制御手段による前記回転機構の制御に関する制御結果情報を撮影画像に関する情報に相関させて記録することを特徴とする請求項７〜請求項１１の何れか１項記載の撮影装置。
【発明の詳細な説明】
【技術分野】
【０００１】
本発明は、被写体を照射するための発光装置、当該発光装置により撮像する撮像装置に関する。
【背景技術】
【０００２】
デジタルカメラ等の撮像装置では、被写体の暗さに起因して撮像時に露出不足が生じる場合がある。この場合、ストロボでフラッシュ光を照射することにより露出不足を補うが、フラッシュ光の配光は広角撮影時の広角端を基準として設計されており、望遠撮影時での望遠端では画角外に不必要に照射される。
【０００３】
フラッシュ光を配光する技術として、特許文献１には、発光管とリフレクタとで構成された発光ユニットを回転駆動することで、照射光を被写体とは異なる物体に照射して、その反射光で被写体を照明する技術について開示されている。
【０００４】
しかしながら、特許文献１では、発光ユニット自体を回転駆動させるため、駆動域が大きくなり、小型化は困難である。
【０００５】
そこで、特許文献２には、発光管とリフレクタとの位置を変更して配光を変更する技術について開示されている。
【特許文献１】特開平９−６１８９９号公報
【特許文献２】特開平９−１８９９４２号公報
【発明の開示】
【発明が解決しようとする課題】
【０００６】
しかしながら、特許文献２では、発光管を概ね水平移動させるため、構成が複雑で、配光変化が少なく、簡易な機構で配光を制御することができない、という問題点があった。
【０００７】
本発明は上記事実を考慮し、簡易な機構で配光を制御することができる発光装置、及び撮影装置を得ることを目的としている。
【課題を解決するための手段】
【０００８】
請求項１記載の発明は、被写体に照射する光の発光源の周囲の一部に、発散する範囲を制限する拡散制限膜を備えた発光体と、前記発光体からの出射光の内、前記被写体の方向に向いていない光を前記被写体の方向に向けて反射させる反射部材と、前記発光体を予め定められた回転軸を中心として回転させ、出射光の方向を変更する回転機構部と、前記反射部材による光の反射を利用して、前記被写体までの距離に応じた適正な配光領域に調整するように、前記回転機構の駆動を制御する制御手段と、を有している。
【０００９】
請求項１記載の発明によれば、簡易な機構で配光を制御する発光装置を得ることができる。
【００１０】
請求項２記載の発明は、前記拡散制限膜が、前記発光体の前記回転機構部による出射光の方向の変更に応じて配光領域を増減させることを特徴としている。
【００１１】
請求項２記載の発明によれば、反射膜の形状を変更することで、配光領域を増減させることができる。
【００１２】
請求項３記載の発明は、前記拡散制限膜が前記発光源からの光を反射する反射膜であることを特徴としている。
【００１３】
請求項３記載の発明によれば、反射膜を用いることで、発光源が発光する光を有効に活用することができる。
【００１４】
請求項４記載の発明は、前記発光体からの出射光及び前記反射部材からの反射光を、前記被写体の方向に向けて屈折させるレンズを更に有している。
【００１５】
請求項４記載の発明によれば、発光体から発生する光を集光するような光学部材を用いることで、発光体の回転に拘らず被写体へ配光することができる。
【００１６】
請求項５記載の発明は、前記発光体を発光させるための電力を当該発光体に供給する配線部材が弾性変形可能であり、かつ前記回転軸を中心として渦巻状に形成され、前記回転機構による回転に応じて巻径が変化するよう弾性変形することを特徴としている。
【００１７】
請求項５記載の発明によれば、発光体へ電力を供給する配線を渦巻状とすることにより、配線が発光体の回転を妨げるような負荷を与えることなく、電力を供給することができる。
【００１８】
請求項６記載の発明は、前記発光体は、透光性を有し、かつ前記発光源を収容すると共に、予め定められた回転方向に回転される筒状の収容体を備え、前記拡散制限膜を前記収容体の外周面の一部に設けたことを特徴としている。
【００１９】
請求項６記載の発明によれば、本構成を有しない発光体と比較して、簡易な機構で配光を制御する発光装置を得ることができる。
【００２０】
請求項７記載の発明は、請求項１〜請求項６の何れか１項記載の発光装置と、前記発光装置によって発生された光が照射された状態で被写体を撮影する撮影手段と、を備えている。
【００２１】
請求項７記載の発明によれば、簡易な機構で配光を制御する撮影装置を得ることができる。
【００２２】
請求項８記載の発明は、前記被写体の撮影サイズを拡大及び縮小するためのズーム機構を更に備え、前記制御手段は、前記ズーム機能による撮影サイズに同期させて前記回転機構の制御を行うことを特徴としている。
【００２３】
請求項８記載の発明によれば、ズーム機能による撮影サイズの変化に対応した、発光体から発生する光の配光を制御することができる。
【００２４】
請求項９記載の発明は、前記制御手段は、前記ズーム機能による撮影サイズの変更動作に対し、前記回転機構を遅延して回転させるように制御を行うことを特徴としている。
【００２５】
請求項９記載の発明によれば、ズーム機能による撮影サイズの変更動作に対して、回転機構による回転を遅延することで、撮影時の電力ピークを抑えることができる。
【００２６】
請求項１０記載の発明は、前記制御手段は、露出設定及び合焦設定される第１の動作状態と、撮影する第２の動作状態とに基づいて、前記回転機能の回転速度を変更することを特徴としている。
【００２７】
請求項１０記載の発明によれば、動作状態に基づいて回転機構の回転速度を変更することにより、電力を減らすことができる。
【００２８】
請求項１１記載の発明は、前記制御手段による前記ズーム機能に同期させて前記回転機構の制御を行わない第１のモードと、前記制御手段による前記ズーム機能に同期させて前記回転機構の制御を行う第２のモードとを選択することを特徴としている。
【００２９】
請求項１１記載の発明によれば、回転機構の制御をモードの選択により実行することで、不必要な配光の制御を実行せず、省電力化を図ることができる。
【００３０】
請求項１２記載の発明は、前記制御手段による前記回転機構の制御に関する制御結果情報を撮影画像に関する情報に相関させて記録することを特徴としている。
【００３１】
請求項１２記載の発明によれば、回転機構による回転角等を記録しておくことで、対応する配光を予測でき、撮影後の画像処理等に利用することができる。
【発明の効果】
【００３２】
以上説明した如く本発明では、簡易な機構で配光を制御することができる発光装置、及び撮影装置を得ることができる。
【発明を実施するための最良の形態】
【００３３】
（第１の実施の形態）
図１には、第１の実施の形態に係るデジタルカメラ１０の外観上の構成を示している。
【００３４】
図１（Ａ）に示すように、デジタルカメラ１０の正面には、被写体像を結像させるためのレンズ１２と、撮影時に必要に応じて被写体に照射する光を発光する発光体である発光管６０Ａ（図１では図示省略。図２参照。）が設けられたストロボ５０と、撮影する被写体の構図を決定するために用いられるファインダ１４と、が備えられている。また、図１（Ｂ）に示すように、デジタルカメラ１０の上面には、撮影を実行する際に撮影者によって押圧操作されるレリーズボタン（所謂シャッター）１６Ａと、電源スイッチ１６Ｂと、が備えられている。
【００３５】
なお、第１の実施の形態に係るレリーズボタン１６Ａは、中間位置まで押下される状態（以下、「半押し状態」という。）と、当該中間位置を超えた最終押下位置まで押下される状態（以下、「全押し状態」という。）と、の２段階の押圧操作が検出可能に構成されている。
【００３６】
そして、第１の実施の形態に係るデジタルカメラ１０では、レリーズボタン１６Ａを半押し状態にすることによりＡＥ（Ａｕｔｏｍａｔｉｃ  Ｅｘｐｏｓｕｒｅ、自動露出）機能が働いて露出状態（シャッタースピード、絞り状態）が設定された後、ＡＦ（Ａｕｔｏ  Ｆｏｃｕｓ、自動合焦）機能が働いて合焦制御され、その後、引き続き全押し状態にすると露光（撮影）が行われる。
【００３７】
一方、図１（Ｃ）に示すように、デジタルカメラ１０の背面には、前述のファインダ１４の接眼部と、撮影によって得られたデジタル画像データにより示される被写体像や各種メニュー画面、メッセージ等を表示するための液晶ディスプレイ（以下、「ＬＣＤ」という。）１８と、撮影を行うモードである撮影モード及び撮影によって得られたデジタル画像データにより示される被写体像をＬＣＤ１８に表示（再生）するモードである再生モードの何れかのモードに設定するためにスライド操作されるモード切替スイッチ１６Ｃと、ＬＣＤ１８の表示領域における上・下・左・右の４方向の移動方向を示す４つの矢印キーを含んで構成された十字カーソルボタン１６Ｄと、が備えられている。
【００３８】
また、デジタルカメラ１０の背面には、ＬＣＤ１８にメインメニュー画面を表示する際に押圧操作されるメニューキー１６Ｅと、メニュー画面で指定された処理を実行する際に押圧操作される実行キー１６Ｆと、各種操作を中止（キャンセル）する際に押圧操作されるキャンセルキー１６Ｇと、撮影時に被写体像のズーミング（拡大及び縮小）を行うときに操作されるズームスイッチ１６Ｈと、が備えられている。
【００３９】
ズームスイッチ１６Ｈは、図１（Ｃ）の‘Ｔ’の位置に対応し、かつ被写体像を拡大するときに操作されるテレ・スイッチと、図１（Ｃ）の‘Ｗ’の位置に対応し、かつ被写体像を縮小するときに操作されるワイド・スイッチと、により構成されている。
【００４０】
次に、図２は、本実施の形態に係るデジタルカメラ１０の電気系の主要構成を示している。
【００４１】
デジタルカメラ１０は、前述のレンズ１２を含んで構成された光学ユニット２０と、レンズ１２の光軸後方に配設された電荷結合素子（以下、「ＣＣＤ」という。）２２と、入力されたアナログ信号に対して各種のアナログ信号処理を行うアナログ信号処理部２４と、を含んで構成されている。
【００４２】
また、デジタルカメラ１０は、入力されたアナログ信号のゲイン誤差を補正するゲインコントロールアンプ（以下、「ＧＣＡ」という。）２６と、入力されたアナログ信号をデジタルデータに変換するアナログ／デジタル変換器（以下、「ＡＤＣ」という。）２８と、入力されたデジタルデータに対して各種のデジタル信号処理を行うデジタル信号処理部３０と、を含んで構成されている。
【００４３】
なお、デジタル信号処理部３０は、所定容量のラインバッファを内蔵し、入力されたデジタルデータを後述するメモリ４２の所定領域に直接記憶させる制御も行う。
【００４４】
ＣＣＤ２２の出力端はアナログ信号処理部２４の入力端に、アナログ信号処理部２４の出力端はＧＣＡ２６の入力端に、ＧＣＡ２６の出力端はＡＤＣ２８の入力端に、ＡＤＣ２８の出力端はデジタル信号処理部３０の入力端に、各々接続されている。従って、ＣＣＤ２２から出力された被写体像を示すアナログ信号はアナログ信号処理部２４によって所定のアナログ信号処理が施された後、ＧＣＡ２６によってゲイン誤差が補正され、ＡＤＣ２８によってデジタル画像データに変換された後にデジタル信号処理部３０に入力される。
【００４５】
一方、デジタルカメラ１０は、被写体像やメニュー画面等をＬＣＤ１８に表示させるための信号を生成してＬＣＤ１８に供給するＬＣＤインタフェース（Ｉ／Ｆ）３６と、デジタルカメラ１０全体の動作を司るＣＰＵ（中央処理装置）４０と、撮影により得られたデジタル画像データ等を記憶するメモリ４２と、メモリ４２に対するアクセスの制御を行うメモリインタフェース（Ｉ／Ｆ）４０と、を含んで構成されている。
【００４６】
更に、デジタルカメラ１０は、可搬型のメモリカード４６をデジタルカメラ１０でアクセス可能とするための外部メモリインタフェース（Ｉ／Ｆ）４４と、デジタル画像データに対する圧縮処理及び伸張処理を行う圧縮・伸張処理回路４８と、を含んで構成されている。
【００４７】
なお、本実施の形態のデジタルカメラ１０では、メモリ４２としてフラッシュ・メモリ（Ｆｌａｓｈ  Ｍｅｍｏｒｙ）が用いられ、メモリカード４６としてスマートメディア（Ｓｍａｒｔ  Ｍｅｄｉａ（登録商標））が用いられている。
【００４８】
デジタル信号処理部３０、ＬＣＤインタフェース３６、ＣＰＵ３８、メモリインタフェース４０、外部メモリインタフェース４４、及び圧縮・伸張処理回路４８はシステムバスＢＵＳを介して相互に接続されている。従って、ＣＰＵ３８は、デジタル信号処理部３０及び圧縮・伸張処理回路４８の作動の制御、ＬＣＤ１８に対するＬＣＤインタフェース３６を介した各種情報の表示、メモリ４２及びメモリカード４６へのメモリインタフェース４０及び外部メモリインタフェース４４を介したアクセスを、各々行うことができる。
【００４９】
一方、デジタルカメラ１０には、主としてＣＣＤ２２を駆動させるためのタイミング信号を生成してＣＣＤ２２に供給するタイミングジェネレータ３２が備えられており、ＣＣＤ２２の駆動はＣＰＵ３８によりタイミングジェネレータ３２を介して制御される。
【００５０】
更に、デジタルカメラ１０にはモータ駆動部３４が備えられており、光学ユニット２０に備えられた図示しない焦点調整モータ、ズームモータ及び絞り駆動モータの駆動もＣＰＵ３８によりモータ駆動部３４を介して制御される。
【００５１】
すなわち、本実施の形態に係るレンズ１２は複数枚のレンズを有し、焦点距離の変更（変倍）が可能なズームレンズとして構成されており、図示しないレンズ駆動機構を備えている。このレンズ駆動機構に上記焦点調整モータ、ズームモータ及び駆動モータは含まれるものであり、これらのモータは各々ＣＰＵ３８の制御によりモータ駆動部３４から供給された駆動信号によって駆動される。
【００５２】
なお、光学ユニット２０には、レンズ１２を通過する光の量を調節する絞り２０Ａが設けられており、ＣＰＵ３８の制御により、レンズ１２に対する光の通過量をレンズ駆動機構の絞り駆動モータを介して調節することができる。
【００５３】
更に、前述のレリーズボタン１６Ａ、電源スイッチ１６Ｂ、モード切替スイッチ１６Ｃ、十字カーソルボタン１６Ｄ、ズームスイッチ１６Ｈ、及びメニューボタン等の各種ボタン、スイッチ類（同図では、「操作部１６」と総称。）は、ＣＰＵ３８に接続されており、ＣＰＵ３８は、これらの操作部１６に対する操作状態を常時把握できる。
【００５４】
一方、ＣＰＵ３８の制御下で発光部６０の発光管６０Ａの発光を制御する発光制御部６２と、発光制御部６２と発光部６０との間に介在されると共に、発光制御部６２の制御に基づいて発光管６０Ａの発光開始を制御するために、発光部６０のリフレクタ６０Ｂ（図２では図示省略。図３参照）にトリガ電圧を印加するトリガ回路６４と、発光管６０Ａの充電電荷を蓄積するメインコンデンサ６８と、発光制御部６２の制御に基づいてメインコンデンサ６８から発光管６０Ａに供給される光電流を制御する光電流制御部６６と、が備えられている。
【００５５】
更に、デジタルカメラ１０には発光管回転駆動部７０が備えられており、発光管６０Ａの回転を、ＣＰＵ３８により発光管回転駆動部７０を介して制御される。
【００５６】
なお、ＣＰＵ３８は、レリーズボタン１６Ａが全押し状態とされた際に、ストロボボタンによって強制発光モードが設定されている場合には発光管６０Ａを強制的に発光させる。また、強制発光モードが設定されていない場合であっても、レリーズボタン１６Ａが全押し状態とされ、かつ露出が不足していると判定された場合には、ＣＰＵ３８は発光管６０Ａを発光させる。
【００５７】
次に、図３は本実施の形態に係る発光部６０の概略構成を示す断面図である。
【００５８】
図３に示すように、発光部６０は、発光管６０Ａと、反射部材であるリフレクタ６０Ｂとで構成されている。リフレクタ６０Ｂは、開口部がデジタルカメラ１０の前方を向く断面視半楕円状とされ、発光管６０Ａは当該リフレクタ６０Ｂの内部に設けられている。これにより、発光管６０Ａから発生されるフラッシュ光は、リフレクタ６０Ｂにより反射される反射光が含まれた状態で被写体に向けて照射される。
【００５９】
また、発光管６０Ａの内部には、反射膜６０Ｃが設けられている。この反射膜６０Ｃは、発光管６０Ａから発生されるフラッシュ光を、発光管６０Ａとリフレクタ６０Ｂとの位置を変更せずに、リフレクタ６０Ｂから反射される反射光を制御するために設けられている。
【００６０】
次に、図４は本実施の形態に係る発光管６０Ａの概略構成をリフレクタ６０Ｂの開口部から示した正面図である。
【００６１】
図４に示すように、発光管６０Ａの両端には、電極５１が設けられ、前述した光電流制御部６６からの制御に基づいて発光管６０Ａに所定の電圧が印加される。本実施の形態の発光管６０Ａは、電極５１を軸として、発光管６０Ａの軸方向に回転可能とされる。
【００６２】
なお、発光管６０Ａを発光するには、電極５１に電圧を印加する必要がある。電極５１へは、例えば図５に示す渦巻状の配線５２を用いて接続してもよい。渦巻状の配線５２を用いることで、発光管６０Ａの回転に伴う配線５２の駆動域を小さく抑えることができ、発光管６０Ａの回転を妨げるような負荷を与えることがない。
【００６３】
図４（ａ）に示す発光管６０Ａは、フラッシュ光の配光を制御しない、つまり発光管６０Ａの標準位置の正面図である。図４（ｂ）は、フラッシュ光の配光を制御するために発光管６０Ａを標準位置に対して９０°回転した場合の正面図であり、反射膜６０Ｃの一部が正面に位置する。
【００６４】
図６（ａ）に、図４（ａ）の場合の発光管６０Ａのフラッシュ光の照射イメージを示し、図６（ｂ）に、図４（ｂ）の場合の発光管６０Ａのフラッシュ光の照射イメージを示す。
【００６５】
図６（ａ）に示すように、図４（ａ）の場合の標準位置の発光管６０Ａのフラッシュ光は、発光管６０Ａ内の反射膜６０Ｃで反射された反射光と共に、リフレクタ６０Ｂの開口部全体から被写体に対して照射される。また、図４（ｂ）に示すように、発光管６０Ａを標準位置に対して９０°回転された場合の発光管６０Ａのフラッシュ光は、図６（ｂ）に示すように、発光管６０Ａの反射膜６０Ｃで反射された反射光と共に、リフレクタ６０Ｂの上部に照射し、リフレクタ６０Ｂで反射されて、開口部上部から被写体に対して照射される。
【００６６】
フラッシュ光は、発光部６０の前面に備えられているフレネルレンズ７２等により、被写体に対して集光して照射される。このため、図６（ｂ）に示したフラッシュ光は、図６（ａ）に示したフラッシュ光と比較して限られた範囲に照射されることになる。
【００６７】
フラッシュ光が照射される範囲は、反射膜６０Ｃによって照射する方向が変更された光の量が多いほど、つまり、発光管６０Ａの回転角度に伴って減少する。
【００６８】
発光管６０Ａに反射膜６０Ｃを設け、発光管６０Ａを回転駆動させることで、フラッシュ光の配光を制御することができる。このことにより、被写体に対してズームして撮影する場合に、撮影サイズに対して無駄なくフラッシュ光を配光することができる。
【００６９】
次に、本実施の形態に係るデジタルカメラ１０の撮影時における全体的な動作について簡単に説明する。
【００７０】
まず、ＣＣＤ２２は、光学ユニット２０を介した撮像を行い、被写体像を示すＲ（赤）、Ｇ（緑）、Ｂ（青）毎のアナログ信号をアナログ信号処理部２４に順次出力する。アナログ信号処理部２４は、ＣＣＤ２２から入力されたアナログ信号に対して相関二重サンプリング処理等のアナログ信号処理を施した後にＧＣＡ２６に順次出力する。
【００７１】
ＧＣＡ２６は、アナログ信号処理部２４から入力されたアナログ信号に対してＲ、Ｇ、Ｂ毎のゲイン誤差を補正した後にＡＤＣ２８に順次出力する。ＡＤＣ２８は、ＧＣＡ２６から入力されたＲ、Ｇ、Ｂ毎のゲイン誤差を補正した後にＡＤＣ２８に順次出力する。ＡＤＣ２８は、ＧＣＡ２６から入力されたＲ、Ｇ、Ｂ毎のアナログ信号を各々１２ビットのＲ、Ｇ、Ｂの信号（デジタル画像）に変換してデジタル信号処理部３０に順次出力する。デジタル信号処理部３０は、内蔵しているラインバッファにＡＤＣ２８から順次入力されるデジタル画像データを蓄積して一旦メモリ４２の所定領域に直接格納する。
【００７２】
メモリ４２の所定領域に格納されたデジタル画像データは、ＣＰＵ３８による制御に応じてデジタル信号処理部３０により読み出され、所定の物理量に応じたデジタルゲインをかけることでホワイトバランス調整を行うと共に、ガンマ処理及びシャープネス処理を行って８ビットのデジタル画像データを生成する。
【００７３】
そして、デジタル信号処理部３０は、生成した８ビットのデジタル画像データに対しＹＣ信号処理を施して輝度信号Ｙとクロマ信号Ｃｒ、Ｃｂ（以下、「ＹＣ信号」という。）を生成し、ＹＣ信号をメモリ４２の上記所定領域とは異なる領域に格納する。
【００７４】
なお、ＬＣＤ１８は、ＣＣＤ２２による連続的な撮像によって得られた動画像（スルー画像）を表示してファインダとして使用することができるものとして構成されており、ＬＣＤ１８をファインダとして使用する場合には、生成したＹＣ信号を、ＬＣＤインタフェース３６を介して順次ＬＣＤ１８に出力する。これによってＬＣＤ１８にスルー画像が表示されることになる。
【００７５】
ここで、ズームスイッチ１６Ｈが操作された場合、ズームスイッチ１６Ｈの操作に基づいてＣＰＵ３８の制御によりモータ駆動部３４を介して光学ユニット２０が駆動することで、レンズ１２が焦点距離を変更する。
【００７６】
更に、レリーズボタン１６Ａがユーザによって半押し状態とされたタイミングで前述のようにＡＥ機能が働いて露出状態が設定された後、ＡＦ機能が働いて合焦制御され、その後、引き続き全押し状態とされたタイミングでメモリ４２に格納されているＹＣ信号を、圧縮・伸張処理回路４８によって所定の圧縮形式で圧縮した後に外部メモリインタフェース４４を介してメモリカード４６に電子化ファイルとして記録する。
【００７７】
以下に、本実施の形態の作用について説明する。
【００７８】
デジタルカメラ１０では、操作部１６の中のズームスイッチ１６Ｈの操作により、ＣＰＵ３８の制御に基づいてモータ駆動部３４が光学ユニット２０を駆動し、レンズ１２の焦点距離が変更される。
【００７９】
このとき、露出が不足している場合、発光部６０の発光管６０Ａが発光することで露出を補うが、発光管６０Ａが発光するフラッシュ光は広角撮影の広角端を基準としているため、変更された焦点距離での撮影サイズの外にフラッシュ光が配光される。このため、ズームスイッチ１６Ｈによる操作に応じて、ＣＰＵ３８の制御で発光管回転駆動部７０が発光管６０Ａを回転し、発光管６０Ａから照射されるフラッシュ光の配光を変更する。
【００８０】
図７は、ズーミング撮影時の電力ピークを抑える処理の流れを示すフローチャートである。
【００８１】
ステップ１００では、図１に示すズームスイッチ１６Ｈが操作されたか否かが判定される。すなわち、ズームスイッチ１６Ｈのテレ・スイッチ又はワイド・スイッチが操作された場合には、肯定判定となり、ステップ１０２へ移行する。ズームスイッチ１６Ｈが操作されなかった否定判定の場合はこのルーチンは終了する。
【００８２】
ステップ１０２では、図２に示すモータ駆動部３４を介してＣＰＵ３８が光学ユニット２０を制御することよりズーム処理が実行され、ステップ１０４へ移行する。
【００８３】
ステップ１０４では、ステップ１０２のズーム処理が終了したか否かが判定される。ズーム処理が終了した肯定判定の場合はステップ１０６へ移行し、ズーム処理が終了していない否定判定の場合はステップ１０４へ移行してズーム処理が終了するまで判定を繰り返す。
【００８４】
ステップ１０６では、発光管６０Ａの回転動作によって、ステップ１０２でズーム処理したズーム位置の撮影サイズに応じてフラッシュ光が配光されるように回転処理が実行され、このルーチンは終了する。
【００８５】
以上説明したように、発光管６０Ａをズーム処理に応じて回転させることで、ズーム処理された範囲に発光管６０Ａからのフラッシュ光が配光される。また、本実施の形態では、ズーム動作によるズーム処理終了後に発光管６０Ａの回転処理を実行する。ズーム動作と同期せず、ズーム処理と、発光管６０Ａの回転処理とを個別に実行することで、撮影処理時の電力ピークを抑えることができる。
【００８６】
なお、本実施の形態では、ズーム位置の撮影サイズに応じてフラッシュ光が配光されるように回転処理が実行されるが、例えば、ズーム位置が所定値を越えた場合は発光管６０Ａを９０°回転しても、ズーム位置の所定値を２値以上設け、その所定値に応じて発光管６０Ａを段階的に回転させてもよい。
【００８７】
（反射膜の変形例）
次に、本実施の形態に係る反射膜６０Ｃの変形例について説明する。なお、本実施の形態と同一構成部分について、同一の符号を付してその構成の説明を省略する。
【００８８】
本実施の形態に係る発光管６０Ａの反射膜６０Ｃの構成では、フラッシュ光をリフレクタ６０Ｂの上下方向に照射することで、配光を制御していた。このため、フラッシュ光は、撮影サイズの上下方向に対してのみ配光が制御されていたことになる。
【００８９】
そこで、反射膜６０Ｃの変形例では、撮影サイズの上下方向に対してのみでなく、左右方向に対しても配光を制御できるように反射膜６０Ｃのパターンを変更した。
【００９０】
図８は、反射膜の変形例に係る、発光管６０Ａの回転に伴いリフレクタ６０Ｂの開口部を正面として示した反射膜６０Ｃのパターンの一例である。
【００９１】
図８（ａ）は、発光管６０Ａのフラッシュ光の配光を制御していない、つまり、発光管６０Ａの標準位置の場合の反射膜６０Ｃのパターンであり、図８（ｂ）は、発光管６０Ａを標準位置に対して４５°回転させた場合の反射膜６０Ｃのパターンであり、図８（ｃ）は、発光管６０Ａを標準位置に対して９０°回転させた場合の反射膜６０Ｃのパターンである。
【００９２】
図８に示されるように、発光管６０Ａを回転させることにより、デジタルカメラ１０の正面から見える反射膜６０Ｃの範囲が左右、上下に広くなる。このことから、反射膜の変形例で示す反射膜６０Ｃでは、発光管６０Ａを回転させることに伴い、フラッシュ光がズーム処理したズーム位置の中央に集光され、より配光を制御できる。
【００９３】
なお、本実施の形態、反射膜の変形例では、配光を制御するために発光管６０Ａに反射膜６０Ｃを設けたが、発光管６０Ａから拡散される光を制限できれば配光を制御できるため、光の拡散を制限する拡散制限膜を発光管６０Ａに設けてもよい。
【００９４】
（発光管６０Ａの回転処理の変形例）
次に、本実施の形態に係る発光管６０Ａの回転処理の変形例について説明する。なお、本実施の形態と同一構成部分について、同一符号を付してその構成の説明を省略する。
【００９５】
本実施の形態に係る発光管６０Ａの回転処理では、光学ユニット２０（図２参照）によるズーム処理が終了後、発光管６０Ａの回転動作を実行し、回転処理速度は一定となっていた。これに対し、発光管６０Ａの回転処理の変形例では、図１に示すレリーズボタン１６Ａの押下の状態に応じて、発光管６０Ａの回転処理速度を変更している。
【００９６】
図９は、レリーズボタン１６Ａの押下の状況に応じて、発光管６０Ａの回転処理速度を変更する処理の流れについて示したフローチャートである。
【００９７】
ステップ２００では、レリーズボタン１６Ａの操作がなかったか否かを判定する。レリーズボタン１６Ａが操作されなかった肯定判定の場合はステップ２０２へ移行し、操作がされた否定判定の場合はステップ２０１へ移行する。
【００９８】
ステップ２０１では、レリーズボタン１６Ａが半押し状態か否かを判定する。レリーズボタン１６Ａが半押し状態ではない否定判定の場合はステップ２０２へ移行する。
【００９９】
ステップ２０２では、図１に示すズームスイッチ１６Ｈが操作されたか否かが判定される。すなわち、ズームスイッチ１６Ｈのテレ・スイッチ又はワイド・スイッチが操作された場合には、肯定判定となり、ステップ２０４へ移行する。ズームスイッチ１６Ｈが操作されなかった否定判定の場合はこのルーチンは終了する。
【０１００】
ステップ２０４では、図２に示すモータ駆動部３４を介してＣＰＵ３８が光学ユニット２０を制御することよりズーム処理が実行され、ステップ２０６へ移行する。
【０１０１】
ステップ２０６では、ステップ２０４のズーム処理が終了したか否かが判定される。ズーム処理が終了した肯定判定の場合はステップ２０８へ移行し、ズーム処理が終了していない否定判定の場合はステップ２０６へ移行してズーム処理が終了するまで判定を繰り返す。
【０１０２】
ステップ２０８では、発光管６０Ａの回転処理を、発光管６０Ａの回転速度が設計上の最大速度よりも相対的に低速となる速度で回転動作し、このルーチンは終了する。
【０１０３】
ステップ２０１でレリーズボタン１６Ａが半押し状態である肯定判定の場合は、ステップ２１０へ移行する。
【０１０４】
ステップ２１０では、発光管６０Ａの回転処理が完了しているか否かが判定される。発光管６０Ａの回転処理が完了している肯定判定の場合はステップ２１４へ移行し、回転処理が完了していない否定判定の場合はステップ２１２へ移行する。
【０１０５】
ステップ２１２では、発光管６０Ａの回転処理を、設計上の最大速度で処理されるように高速で回転動作し、ステップ２１４へ移行する。
【０１０６】
ステップ２１４では、レリーズボタン１６Ａが全押し状態か否かが判定される。レリーズボタン１６Ａが全押し状態ではない否定判定の場合はこのルーチンは終了し、レリーズボタン１６Ａが全押し状態である肯定判定の場合はステップ２１６へ移行する。
【０１０７】
ステップ２１６では、ズーム処理、及びズーム処理に伴い発光管６０Ａの回転処理が実行された場合はそれらの処理に基づいて撮影処理が実行され、このルーチンは終了する。
【０１０８】
このように、レリーズボタン１６Ａの押下の状態（半押し状態、全押し状態）に基づいて、発光管６０Ａの回転処理速度を変更することで、撮影処理時の電力を減らすことができる。
【０１０９】
（発光体の変形例１）
次に、本実施の形態に係る発光管６０Ａである発光体の変形例について説明する。なお、本実施の形態と同一構成部分について、同一の符号を付してその構成の説明を省略する。
【０１１０】
本実施の形態に係る発光体は、発光管（所謂キセノン管）６０Ａを用いていた。これに対し、発光体の変形例１では、発光体として発光ダイオード（以下、ＬＥＤという。）を用いる。
【０１１１】
図１０は、発光体の変形例１に係る、発光体の構成と、発光部６０内の配置とを示す図である。
【０１１２】
図１０（ａ）に示すように、プリント基板５４上に反射膜６０Ｃを設け、その上にＬＥＤ５６を複数個配置する構成となる。この構成の発光体を図１０（ｂ）に示すように、ＬＥＤ５６を、リフレクタ６０Ｂの内部に設け、プリント基板５４の標準位置で、ＬＥＤ５６がリフレクタ６０Ｂの開口部に向くように配置する。このようなＬＥＤ５６が配置されたプリント基板５４を、図１０（ｂ）の矢印Ａ方向に回転させることにより、ＬＥＤ５６からのフラッシュ光を配光することができる。
【０１１３】
なお、発光体の変形例１に示すように、プリント基板５４を用いた場合、反射膜６０Ｃは銅箔等の配線材で代用することも可能である。
【０１１４】
（発光体の変形例２）
次に、本実施の形態に係る発光管６０Ａである発光体の変形例について説明する。なお、本実施の形態と同一構成部分について、同一の符号を付してその構成の説明を省略する。
【０１１５】
発光体の変形例２では、発光体としてＬＥＤ５６を用い、発光体の変形例１とは、ＬＥＤ５６の配置と、フラッシュ光を配光する場合の回転方法を変更する。
【０１１６】
図１１は、発光体の変形例２に係る、発光体であるＬＥＤ５６の配光を制御しない標準位置の場合のフラッシュ光と、ＬＥＤ５６を標準位置に対して１８０°回転させて配光を制御した場合のフラッシュ光とを示す図である。
【０１１７】
発光体の変形例２に係るＬＥＤ５６は、リフレクタ６０Ｂの内部に、リフレクタ６０Ｂの長尺に沿って複数個設け、基板がリフレクタ６０Ｂの外部に位置するように端子５５が設けられる。図１１に示す図は断面図であるため、複数個のＬＥＤ５６の中の１つのＬＥＤ５６が示されている。ＬＥＤ５６は、回転しない状態でリフレクタ６０Ｂの開口部からリフレクタ６０Ｂ側にかけて、リフレクタ６０Ｂ側に反射膜６０Ｃが多くなるように傾斜させた反射膜６０Ｃを有している。
【０１１８】
図１１（ａ）に示されるように、フラッシュ光の配光を制御しない標準位置の場合は、ＬＥＤ５６のフラッシュ光をリフレクタ６０Ｂの開口部全体から被写体に対して照射される。フラッシュ光の配光を制御する場合、図１１に示される回転軸５７に対して各々のＬＥＤ５６が標準位置から１８０°回転させることにより、図１１（ｂ）に示すように、リフレクタ６０Ｂの開口部の上部から被写体に対して照射されることになる。
【０１１９】
（発光体の変形例３）
次に、本実施の形態に係る発光管６０Ａである発光体の変形例について説明する。なお、本実施の形態と同一構成部分について、同一の符号を付してその構成の説明を省略する。
【０１２０】
発光体の変形例３では、発光体として有機エレクトロルミネッセンス（以下、有機ＥＬという。）を用いる。
【０１２１】
図１２は、発光体の変形例３に係る、発光体の構成と、発光部６０内の配置とを示す図である。
【０１２２】
図１２（ａ）に示すように、有機ＥＬ５８の一部に反射膜６０Ｃを備える。図１２（ｂ）に示すように、円筒状に形成し、フラッシュ光の配光を制御しない標準位置の場合に、有機ＥＬ５８に設けられた反射膜６０Ｃがリフレクタ６０Ｂの開口部に対する位置になるように内部に設ける。このような構成にすることにより、本実施の形態の回転と同様に有機ＥＬ５８の円筒状の回転軸に沿って回転させることにより、有機ＥＬ５８からのフラッシュ光を配光することができる。
【０１２３】
なお、本実施の形態の反射膜６０Ｃのパターンは、ズーミングにより発光管６０Ａから発光されるフラッシュ光の配光が制御できるものであれば、どのようなパターンを用いてもよい。
【０１２４】
また、本実施の形態では、ズーミングにより発光管６０Ａから発光されるフラッシュ光の配光の制御を、ズーミング処理が終了してから実行しているがこれに限ったものではなく、ズーミング処理の実施と同期して発光管６０Ａの回転処理を実行してもよい。
【０１２５】
また、本実施の形態では、発光管６０Ａから発光されるフラッシュ光を、リフレクタ６０Ｂを用いて反射、及び集光しているが、集光する部材はこれに限ったものではなく、光学部材等を用いてもよい。
【０１２６】
また、本実施の形態では、リフレクタ６０Ｂにトリガ電圧を印加することで、電極により電圧が印加された発光管６０Ａが発光するが、これに限ったものではない。例えば、発光管６０Ａが、アルミ蒸着された導電テープ等の反射膜６０Ｃで構成され、図１３に示すように渦巻状の配線５２が反射膜６０Ｃに接続される構成でもよい。このような構成の場合、トリガ電圧を、渦巻き状の配線５２を介して反射膜６０Ｃである導電テープに印加することで、発光管６０Ａが発光する構成としてもよい。
【０１２７】
また、本実施の形態では、渦巻状の配線５２を用いることで、発光管６０Ａの回転に伴う配線５２の駆動域を小さく抑えているが、これに限ったものではない。例えば、リフレクタ６０Ｂと電気的に接続できる摺動部材を用いる構成でもよい。
【０１２８】
さらに、本実施の形態では、例えば、図１４に示すような発光設定を変更するモードを備える構成としてもよい。図１４に示すモード設定では、「通常」が発光管６０Ａの発光によるフラッシュ光の配光を制御しないモードを示し、「ズームフラッシュ」がズーミングに応じた配光の制御を示している。
【０１２９】
また、本実施の形態のズーミングに応じて発光管６０Ａの発光によるフラッシュ光の配光を制御した設定値（例えば表１参照）を、例えばＣＰＵ３８のメモリ内、Ｅｘｉｆ（Ｅｘｃｈａｎｇｅａｂｌｅ  Ｉｍａｇｅ  Ｆｉｌｅ  Ｆｏｒｍａｔ）データ、デバッグデータ等に記録するようにしてもよい。
【０１３０】
【表１】
2009244349.tif 000003
【０１３１】
このように設定値を記録することで、撮影時の状況を確認できるほか、発光管６０Ａの回転角度から予想される配光を基に画像処理を行うなどの利用が考えられる。
【図面の簡単な説明】
【０１３２】
【図１】本実施の形態に係り、（Ａ）はデジタルカメラの正面、（Ｂ）はデジタルカメラの上面、（Ｃ）はデジタルカメラの背面、を示す概観図である。
【図２】本実施の形態に係るデジタルカメラの電気系の要部構成を示すブロック図である。
【図３】本実施の形態に係る、発光部６０の概略構成を示す断面図である。
【図４】本実施の形態に係り、（ａ）は発光管の標準位置の場合のリフレクタの開口部から示した正面図であり、（ｂ）は発光管を標準位置に対して９０°回転させた場合のリフレクタの開口部から示した正面図である。
【図５】本実施の形態に係る、発光管と、電極に接続する渦巻状の配線との概略構成をリフレクタの開口部から示した正面図である。
【図６】本実施の形態に係り、（ａ）は図４（ａ）の場合の発光管のフラッシュ光の照射イメージを示し、（ｂ）は図４（ｂ）の場合の発光管のフラッシュ光の照射イメージを示す。
【図７】本実施の形態に係る、ズーミング撮影時の電力ピークを抑える処理の流れを示すフローチャートである。
【図８】本実施の形態に係り、（ａ）は発光管の標準位置の場合の反射膜のパターンを示し、（ｂ）は発光管を標準位置に対して４５°回転させた場合の反射膜のパターンを示し、（ｃ）は発光管を標準位置に対して９０°回転させた場合の反射膜のパターンを示した図である
【図９】本実施の形態に係る、レリーズボタンの押下の状況に応じて、発光管の回転処理速度を変更する処理の流れについて示したフローチャートである。
【図１０】発光体の変形例１に係り、（ａ）は発光体の構成を示し、（ｂ）は発光部内の配置を示す図である。
【図１１】発光体の変形例２に係り、（ａ）は発光体であるＬＥＤの配光を制御しない標準位置の場合のフラッシュ光を示し、（ｂ）はＬＥＤを標準位置に対して１８０°回転させて配光を制御した場合のフラッシュ光を示す図である。
【図１２】発光体の変形例３に係り、（ａ）は発光体の構成を示し、（ｂ）は発光部内の配置を示す図である。
【図１３】本実施の形態に係る、発光管と、渦巻状の配線が反射膜に接続される概略構成をリフレクタの開口部から示した正面図である。
【図１４】本実施の形態に係る、発光設定を変更するモードを示す画面構成図である。
【符号の説明】
【０１３３】
１０    デジタルカメラ（撮影装置）
３４    モータ駆動部（ズーム機構）
３８    ＣＰＵ（制御手段）
５２    配線
５６    ＬＥＤ（発光体）
５８    有機ＥＬ（発光体）
６０Ａ    発光管（発光体）
６０Ｂ    リフレクタ
６０Ｃ    反射膜
７０    発光管回転駆動部（回転機構）
７２    フレネルレンズ（光学部材）
【図１】
2009244349.tif 000004
【図２】
2009244349.tif 000005
【図３】
2009244349.tif 000006
【図４】
2009244349.tif 000007
【図５】
2009244349.tif 000008
【図６】
2009244349.tif 000009
【図７】
2009244349.tif 000010
【図８】
2009244349.tif 000011
【図９】
2009244349.tif 000012
【図１０】
2009244349.tif 000013
【図１１】
2009244349.tif 000014
【図１２】
2009244349.tif 000015
【図１３】
2009244349.tif 000016
【図１４】
2009244349.tif 000017